(57)【要約】  錠掛金を収容するための錠掛金対向物およびドアの不当開放に対して、ドアオープナーをセキュアするためのスイッチオン可能なセキュアエレメントを備えたドアをリリースするためのドアオープナーに関する。本発明の課題は、かように周知のドアオープナーを特別な適用目的用に変位することである。本発明によれば、錠掛金を錠掛金対向物からエゼクテイングするためのエゼクタおよび、ドアによりドアオープナーに導かれる力を引き渡すための伝達エレメントとエゼクタ操作用操作部を備える。
2007508477.tif 000002
【特許請求の範囲】
【請求項１】
錠掛金対向物およびドアの不当開放に対してドアオープナーをセキュアするための制御可能なセキュアエレメントを備えたドアをリリースするためのドアオープナーであって、錠掛金（１３）を錠掛金対向物からエゼクテイングするためのエゼクタおよび、錠掛金（１３）によりエゼクタに伝達される錠掛金対向物とエゼクタの間の伝達エレメントを備えたことを特徴とするドアオープナー。
【請求項２】
エゼクタが錠掛金対向物（３）に設けられていることを特徴とする請求項１に記載のドアオープナー。    
【請求項３】
エゼクタが錠掛金対向物上に回動可能に設けられたすべりプレート（１８）を包含することを特徴とする請求項２に記載のドアオープナー。
【請求項４】
すべりプレート（１８）の回動軸（３０）が錠掛金対向物の運動方向に平行に延びることを特徴とする請求項３に記載のドアオープナー。
【請求項５】
錠掛金対向物が回動掛金（３）として形成され、すべりプレート（１８）の回動軸（３０）が回動掛金（３）の軸（２５）に横に延びることを特徴とする請求項４に記載のドアオープナー。
【請求項６】
錠掛金対向物が変位可能な掛金、とりわけ直線的変位可能な掛金として形成されていることを特徴とする請求項４に記載のドアオープナー。
【請求項７】
伝達エレメントが被制御で２本腕の交番（６）を有するレバー接合を包含し、そのうち１本のレバーアーム（６”）が錠掛金対向物の閉鎖エレメントの役目を果たし、他のレバーアーム（６’）がすべりプレート（１８）と係合するピン（１０）と有効接合していることを特徴とする請求項３〜６のいずれかに記載のドアオープナー。
【請求項８】
２本腕の交番（６）が電気機械的、圧電式、磁気ひずみ式、シェープ・メモリー操作部、機械的、レオロジー流体、油圧式、圧縮空気式、あるいはこれら方法をコンビネーションして操作されることを特徴とする請求項１〜６のいずれかに記載のドアオープナー。
【請求項９】
伝達エレメントがボーデンケーブル、多リンクギヤ、プッシュ連鎖チェーンまたは油圧システムとして形成されていることを特徴とする請求項１〜６のいずれかに記載のドアオープナー。
【請求項１０】
錠掛金対向物の前部（２２）が基部（２１）に相対的に調整可能であることを特徴とする請求項１〜９のいずれかに記載のドアオープナー。
【請求項１１】
伝達エレメントがバイアスエレメント（２８）でバイアスをかけられていることを特徴とする請求項１〜１０のいずれかに記載のドアオープナー。
【請求項１２】
他のバイアスエレメント（３１）がリリース力の調整用に備えられていることを特徴とする請求項１〜１１のいずれかに記載のドアオープナー。
【請求項１３】
回動掛金（３）と交番（６）の間に調整用ブッシュ片（１６）が備えられていることを特徴とする請求項１〜７のいずれかに記載のドアオープナー。
【請求項１４】
閉鎖されたドアオープナー閉鎖板が備えられていることを特徴とする請求項１〜１３のいずれかに記載のドアオープナー。
【請求項１５】
錠掛金対向物において、錠掛金（１３）との接触部分にローラー体が備えられていることを特徴とする請求項１〜１４のいずれかに記載のドアオープナー。
【発明の詳細な説明】
【技術分野】
【０００１】
本発明は錠掛金対向物およびドアの不当開放に対してドアオープナーをセキュアするための制御可能なセキュアエレメントを備えたドアをリリースするためのドアオープナーに関する。
【背景技術】
【０００２】
ドアオープナーは周知のように住宅、オフィスのドア閉鎖装置で使用される。この際、錠掛金対向物としての役目を果たす回動掛金が閉鎖レバー（交番）によりリリースされるかまたは閉鎖され、閉鎖レバー（交番）がまた電磁石のアンカによりしっかり留められる。ドアの錠掛金は回動掛金を後部係合し、リリースの際は回動掛金を押し返してドアを開けることができる。
【０００３】
特別な運用状況では、要請された特性への各適応が必須であるから、その結果、特殊課題に応じた一連の様々なドアオープナータイプが開発された。ここでは、例えば、病院のような騒音が問題視される使用領域が取り上げられる。同様に高い予荷重で機能安全性が保証されなくてはならない時、特別な使用分野となる。また、場合によっては周知のドアオープナーの使用では条件を満たさないからそれに対向する、特別な熱的条件または安全性要請上の特殊条件も支配的でありうる。
【発明の開示】
【発明が解決しようとする課題】
【０００４】
本発明の課題は、冒頭に述べた形式のドアオープナーを、なるべく多くの使用領域と役割に適していながらも容易に構築されるよう形成することである。
【課題を解決するための手段】
【０００５】
上記課題は、錠掛金を錠掛金対向物からエゼクテイングするためのエゼクタおよび、錠掛金により導入された力を転向後エゼクタに伝達する、錠掛金対向物とエゼクタの間の力伝達エレメントを備えたことにより解決される。    
【０００６】
本発明の基本思想は、電気機械的かんぬき外しが行われると、ドアを押し開けたりドアを引いて開けるときに導入される力を力ー行程転換により、弾性支承された錠掛金を押し返すのに使うことである。保持部材の衝撃エネルギーが少なく、ドアオープナー掛金の逆転ノイズが小さいから、かようなドアオープナーにより、ドア開放をノイズ弱で行うことが可能となる。更に、ドアが突き当たったときにエゼクタにより錠掛金がへこむことも少なくなる。また、温度変動が原因でドアガスケットまたはバイメタル効果により発生しかねない高い予荷重時のドアオープナーの機能安全性も確実に保証される。他のメリットは、ドアオープナーの錠掛金対向物が閉鎖された閉鎖板でカバーできることである。これは外観上のメリットを提供するのみならず、ドアの隙間は、ガスケットが周回して隣接できるから、閉鎖領域の閉鎖された閉鎖板のために貫通してシールできる。それにより、ドアオープナーは煙防止ドア、防火ドアにも使用可能である。これはまた、断熱・防音にも有利である。最終的には、閉鎖された閉鎖板により高い静的こうかん力が達成される。つまり、本発明は小さい建構フォームを特徴とするため、ドアオープナーはフレーム幅が小さくても組み込める。
【０００７】
本発明の好適な実施形態では、エゼクタがすべりプレートと操作部を有し、操作部が錠掛金対向物に直接設けられていると有利である。この構造により、錠掛金に対する最適な力の導入がなされる。更に、操作部を長さ方向に変位可能に支承されたピンとして形成されていると有利である。その際、ピンは、一番簡単なケースではボアとして形成された錠掛金対向物内のガイドに設けることができる。ピンそれ自体で操作部を割安に形成することができる。
【０００８】
更に、ドアをリリースするリリース力を調整するためのバイアスエレメントが設けられていると有利である。また、伝達エレメントおよび・または錠掛金対向物にバイアスをかけることが可能である。その際、バイアス用にバネが設けられる。その際、バネ張力を調整可能にすると有利である。このようにして、リリース力があらかじめ設定されるため、各使用条件とドア重量への可変適応が可能である。
【０００９】
錠掛金対向物にプッシュ片を設けるととりわけ好都合である。プッシュ片によりリリース力の調整を行うことができる。
【００１０】
本発明の他の好適な実施形態では、伝達エレメントを交番として形成する。あるいは、伝達エレメントをボーデンケーブル、多リンクギヤ、プッシュ連鎖チェーンまたは油圧システムとして形成することができる。交番が２本のレバーアームを有すると、最適な力伝達が調整できる。その際、錠掛金対向物が短いレバーアームに作用し、他方、長いレバーアームは、導入された力を操作部に伝達する。
【００１１】
更に、錠掛金対向物において、錠掛金との係合部分に摩擦減少用ローラー体があると、実際摩擦がなく、よって摩滅がないので有利である。
【００１２】
リリース操作部としてセキュアエレメント用に使用される電磁石に代わって、本発明では、圧電式、磁気ひずみ式、シェープ・メモリー操作部、機械的、レオロジー流体、油圧式、圧縮空気式、あるいはこれら方法をコンビネーションしてでも連動操作またはかんぬき外し操作を行う。油圧リリース方法、圧縮空気リリース方法、レオロジーリリース方法では、非常時にドアオープナーを自動リリースするためのいわゆるパニック機能が容易に実現できる。
【００１３】
以下本発明の図面の実施例を参照して詳述する。
【発明を実施するための最良の形態】
【００１４】
図１から図４は無負荷閉鎖位置にあるドアオープナーを示す。このドアオープナーはケース２、回動掛金３として形成された錠掛金対向物、２本腕の回動可能に支承された交番６と回動可能に支承されたセキュアエレメント８を有する。ケースは蓋（図示せず）を取り外した状態で示される。セキュアエレメント８は直接的または間接的に電磁操作部（図示せず）により操作されるアンカからなり、交番６の長いレバーアーム６’の自由端に作用する。セキュアエレメント８の回動軸１５は交番６の回動軸１７に平行に延びる。回動掛金３の回動軸２５はこれを横切るように合わせてある。
【００１５】
交番６の短いレバーアーム６”は回動掛金３の背面と、図１の回動掛金３が交番６を閉鎖したとき動けないように有効接合され、この状態でドアオープナーが閉鎖される。図９の交番６が解除されると、回動掛金３は交番６の、回避する短いレバーアーム６”に対して揺動でき、ドアオープナーはそれによりエゼクテイング位置にある。
【００１６】
ドアオープナーは更に錠掛金１３（図６）用エゼクタを有し、エゼクタはすべりプレート１８とすべりプレート１８制御用ピン１０（図４）を有する。すべりプレート１８は回動掛金３上に回動可能に支承され、その際、回動軸３０（図５）が回動掛金３の回動軸２５に横に延びる。すべりプレート１８は第１圧縮ばね２８を介してピン１０とバイアス結合している。圧縮ばね２８の作用により、図１に示されるように、無負荷状態ですべりプレート１８が回動掛金３から離れるように外部ポジションへと回動する。
【００１７】
図１のポジションではセキュアエレメント８が交番６の閉鎖ポジションにある長いアーム６’の前に閉鎖的に揺動される。この際、長いアーム６’が回動掛金３から離れるように揺動され、短いアーム６”は回動掛金３に閉鎖的に隣接している。短いアーム６”と回動掛金３との間の接触は、図示例では回動掛金３に取り付けられたプッシュ片１６を介して行われる。プッシュ片１６は例えばねじ山を介して調整可能に形成されている。例えば偏心的に調整可能な押圧点による、短いアーム６”に沿った変位により接触個所の調整もしくは回動掛金３のリリース力の調整を行うことができる。セットボルト２９はプッシュ片１６と結びついて回動掛金３のリリース力の調整の役目を果たす。
【００１８】
図２から図４より、回動掛金３が軸受側のベース部２１とＬ字形前方部２２と２体に形成されていることが個別に明らかになる。前方部はベース軸受側の脚３’とその自由端にある、タブ形状で錠掛金１３（図６）用ストッパーの役目を果たす突出脚３”を有す。Ｌ字形前方部２２はベース側脚３’に沿って、例えばノッチ歯面２３を介して様々なポジションに選択的に固定可能である。それにより、前方部２２は自由脚３”の錠掛金との係合を錠掛金のポジションへ正確に適合するために、揺動方向に選択的にずらしてベース部２１上に設けることができる。すべりプレート１８は、前方部２２に設けられているので、突出脚３”に対する相対的ポジションは前方部２２のベース部２１に対する関係づけとは無関係である。
【００１９】
図３によれば、ベース部２１にセットボルト２９が変位可能に支承されている。セットボルト２９は、交番６の長いアーム６’に対して、ベース部２１の谷部に設けられた第１の圧縮ばねで付勢される。第１の圧縮ばね３１の垂足は止めねじ３２上にあり、止めねじ３２を介して回動掛金３と長いアーム６’の前のバイアスを調整できる。
【００２０】
ピン１０は図４によるとベース部２１のボアに交番６の長いアーム６’とすべりプレート１８の裏面の間に変位可能に支承されている。ピン１０は、長いレバーアーム６’と外部ポジションにあるすべりプレート１８との該当する距離より短い。残りの差は、主に長いアーム６’に支持されピン１０をすべりプレート１８上に押圧する第２の圧縮ばねにより架橋されるので、それは、無負荷状態では外部ポジションをとる。
【００２１】
図３から図４の断面図では、ピン１０が回動掛金３内のガイドボア２０内に長さ方向に変位可能に支承されていることが示される。従ってピン１０は、回動掛金３の揺動運動をともに行なう。
【００２２】
図５は、前方部２２内の平行ほぞ穴３３とベース部２１上鎖状ねじ３４による、前方部２２と回動掛金３のベース部２１の選択的調整可能な接合を示す。
【００２３】
図６と図７は回動掛金３に係合するドア（図示せず）の、矢印２６の縦軸に沿って弾性バイアスされた錠掛金１３が示される、ドアオープナーの上記閉鎖位置を示す。錠掛金１３は、すべりプレート１８を回動掛金３の内部ポジションへと押圧してある。この際、ピン１０は、閉鎖された回動掛金３まで、第２の圧縮ばね２８を変位し、この際、第２の圧縮ばね２８は最大圧縮状態にある。錠掛金１３と回動掛金３との係合は、ばね効果により騒音弱で行われる。
【００２４】
すべりプレート１８が前方部２２に設けられているので、すべりプレート１８も前方部２２のどのポジションでも常に錠掛金１３に対して相対的に厳密に芯合わせされることが保証されるので、すべりプレート１８と錠掛金１３との係合が確実に保証される。この際、ピン１０とガイドボア２０の構造は、ピン１０がすべりプレート１８に前方部２２の各ポジションで作用するように選択される。
【００２５】
図８と図９のドアオープナーのエゼクテイング位置では、セキュアエレメント８が長いアーム６’をリリースする。錠掛金１３を押すことにより、回動掛金３は図面平面から後部へ揺動し、短いアーム６”を後部へ揺動したので、その結果、長いアーム６’は回動掛金３の背面へと前方へ揺動される。
【００２６】
長いアーム６’はピン１０をすべりプレート１８の背面へスライドし、これを図１に示された外部ポジションへと前へ揺動し、その際、第２の圧縮ばね２８が圧縮状態を保持し、それにより、第２の圧縮ばね２８のばね効果が相殺される。その際、錠掛金１３がばね張力に反して矢印方向２７へ戻るようにスライドされ、回動掛金３との係合が外れる。それにより、交番６は機械的力ー行程伝達エレメント機能を持つ。ピン１０の両端は角を丸くしてあるから、スライド運動が行なわれるときは、交番６とすべりプレート１８に沿って容易にスライドできる。
【００２７】
以下にドアオープナーの作動の仕方を要約する。
【００２８】
交番６を電気機械式にリリースすると、錠掛金１３から前方部２２へ加えられた力により、錠掛金１３がその回動軸２５の廻りを力方向へ揺動される。回動掛金３を介して力が転向され、ピン１０を介してすべりプレート１８を押圧する交番６へ伝達される。このようにして回動掛金３の揺動中ピン１０は回動掛金３に相対的に動かされ、その際、すべりプレート１８に作用する。これが錠掛金１３を回動掛金３の自由脚３”を逸れてスライドさせ、回動掛金３は同時に、錠掛金１３が当該ドアの開放運動時に通過する道程を横に離脱するよう揺動される。
【００２９】
つまり、錠掛金１３が回動方向へと回動掛金３に及ぼす力は、全体としては力伝達エレメントの役目を果たすてこ機構により約９０度転向され、力ー行程転換が行われ、その結果、錠掛金１３が回動方向に横に開放ポジションへとスライドし戻される。従って錠掛金１３のリリースは、一方で回動掛金３を錠掛金１３から離脱するようにサイドを揺動し、他方錠掛金１３を回動掛金３から離脱するように揺動することに基づいている。それにより、錠掛金１３の回動掛金３からのリリースは、もはや周知のドアオープナーのように回動掛金３の揺動によってのみではなく、回動掛金３とエゼクタのコンビ揺動ーすべり運動により実行される。これにより、回動掛金３の回動道程が少なくて済む。従って回動掛金３は比較的長い揺動アームを有することができるので、ピポット軸受２５は図示のように、回動掛金３の自由端に対向するケースコーナー部分に設けることができる。よって、回動掛金３の回転レバーの長さは、およそケースの奥行に相応できる。
【００３０】
Ｌ字形前方部２２との関連で一方の図１から図９と他方の図１０はベース部２１上のポジションにより互いに相違している。図１から図９が示すように、前方部２２はドアオープナーの奥行が最も小さい、ノッチ歯面２３上の内部ポジションに設けられている。図１０によれば、前方部２２は外部へ変位されたポジションにある。ほぞ穴３３と鎖錠ねじ３４と結びついたノッチ歯面により、ドアオープナーの相違した取り付け所与条件下で、前方部２２のポジションを錠掛金１３のポジションへ厳密に適合することが可能になる。
【００３１】
すべりプレート１８が前方部２２上に設けられているから、すべりプレート１８も前方部２２のどの位置においても常に錠掛金に対して相対的な厳密な芯合わせがされることが確実であり、そのためにすべりプレート１８と錠掛金との係合が確実に保証される。その際、ピン１０とガイドボア２０の構造は、ピン１０がすべりプレート１８に前方部２２の各位置で作用を及ぼすように選択される。この際、レバーアームはまた、前方部２２のどの位置でも同じであり、その下でピン１０がすべりプレート１８に係合する。それ故ドアオープナーのリリース力は前方部２２の位置と無関係である。
【００３２】
図１１と図１２による第２のドアオープナーにおいては、第１のドアオープナーと同じパーツは同じ符号を付けてあるので、上記記載を引き合いに出す。機能と相互作用は第１のドアオープナーと一致する。第２のドアオープナーは、第１のドアオープナーと、すべりプレート２８の構造によってのみ相違し、すべりプレート２８はここではその回動軸が回動掛金３の回動軸２５に平行に設けられている。その際、すべりプレート１８の自由端は自由脚３”に割り付けられる。
【００３３】
更に図１２の断面図は錠掛金３の自由端３”がすべりプレート１８用ストッパーの役割を果たす内縁２４を有し、内縁２４においてすべりプレート１８の自由端が旋回位置に支持されていることが示される。
【００３４】
回動掛金の代わりに、錠掛金対向物を変位可能な掛金、より好適には、直線的に変位可能な掛金として形成すると有利であり得る。
【図面の簡単な説明】
【００３５】
【図１】閉鎖位置にある第１のドアオープナーの透視斜視図である。
【図２】図１による閉鎖位置にある第１のドアオープナーの切断線ＩＩ−ＩＩによる断面図である。
【図３】図１による閉鎖位置にある第１のドアオープナーの切断線ＩＩＩ−ＩＩＩによる断面図である。
【図４】図１による閉鎖位置にある第１のドアオープナーの切断線ＩＶ−ＩＶによる断面図である。
【図５】第１のドアオープナーの回動掛金側の側面図である。
【図６】錠掛金つき図１による閉鎖位置にある第１のドアオープナーの透視斜視図である。
【図７】錠掛金つき図２による閉鎖位置にある第１のドアオープナーのＩＶ−ＩＶによる断面図である。
【図８】錠掛金つき第１のドアオープナーの、エゼクテイング位置の透視斜視図である。
【図９】錠掛金つき図８によるエゼクテイング位置にある第１のドアオープナーの切断線ＩＸ−ＩＸによる断面図である。
【図１０】図９に比べてずらした回動掛金つきまたは錠掛金無し図９によるエゼクテイング位置にある第１のドアオープナーの切断線ＩＸ−ＩＸによる断面図である。
【図１１】錠掛金無しエゼクテイング位置にある第２のドアオープナーの透視斜視図である。
【図１２】図１１によるエゼクテイング位置にある第２のドアオープナーの切断線ＸＩＩ−ＸＩＩによる断面図である。
【図１】
2007508477.tif 000003
【図２】
2007508477.tif 000004
【図３】
2007508477.tif 000005
【図４】
2007508477.tif 000006
【図５】
2007508477.tif 000007
【図６】
2007508477.tif 000008
【図７】
2007508477.tif 000009
【図８】
2007508477.tif 000010
【図９】
2007508477.tif 000011
【図１０】
2007508477.tif 000012
【図１１】
2007508477.tif 000013
【図１２】
2007508477.tif 000014
【国際調査報告】
2007508477.tif 000015
2007508477.tif 000016
2007508477.tif 000017
2007508477.tif 000018
2007508477.tif 000019
2007508477.tif 000020